(57)【要約】【課題】ランプを偶数個配設する場合と奇数個配設する場合とで、ランプを装着するべきソケットを容易に判断することができ、いずれの場合においても配光特性を適正に保つ。【解決手段】直管状の発光管４１、及び発光管４１の一端に設けられる口金４２を有するランプ４と、ランプ４の口金４２が脱着自在に装着されて複数のランプ４を互いに並行配設する複数のソケットと、当該ソケットを介してランプ４を点灯制御する安定器８と、少なくとも複数のランプ４及び複数のソケットを収納する中空箱型の器具本体１とを備え、前記複数のソケットは、ランプ４を偶数本配設する際に用いられる、器具本体１の一端側内壁に設けられた偶数個の第一のソケット２と、ランプ４を奇数個配設する際に用いられる、器具本体１の一端側内壁と対向する他端側内壁に設けられた奇数個の第二のソケット３とから構成される。【選択図】図１
2011090989.tif 000002
【特許請求の範囲】
【請求項１】
直管状の発光管、及び発光管の一端に設けられる口金を有するランプと、
ランプの口金が脱着自在に装着されて複数のランプを互いに並行配設する複数のソケットと、
ソケットを介してランプを点灯制御する安定器と、
少なくとも複数のランプ及び複数のソケットを収納する中空箱型の器具本体とを備え、
前記複数のソケットは、ランプを偶数本配設する際に用いられる、器具本体の一端側内壁に設けられた偶数個の第一のソケットと、ランプを奇数個配設する際に用いられる、器具本体の一端側内壁と対向する他端側内壁に設けられた奇数個の第二のソケットとから構成されることを特徴とする照明器具。
【発明の詳細な説明】
【技術分野】
【０００１】
本発明は、照明器具に関するものである。
【背景技術】
【０００２】
従来から、一面が開口した矩形箱型の器具本体と、両端にそれぞれ口金が設けられ、器具本体内に複数本並設される所謂直管型の蛍光ランプと、器具本体において互いに対向する内壁にそれぞれ対向して設けられ、一方が蛍光ランプの一方側の口金に接続されて他方が蛍光ランプの他方側の口金に接続される複数のソケット対と、ソケットを介して蛍光ランプを点灯制御する安定器とを備えた照明器具が提供されている（例えば特許文献１参照）。
【０００３】
そして、複数のソケット対は、互いに略等間隔に配設されており、各ソケット対に蛍光ランプが接続されることで適正な配光特性が得られる。
【先行技術文献】
【特許文献】
【０００４】
【特許文献１】特開平９−９２０２５号公報
【発明の概要】
【発明が解決しようとする課題】
【０００５】
しかしながら、上記従来例における照明器具では、ユーザーが使用する蛍光ランプの本数を偶数本から奇数本に変更したい場合、または、使用する蛍光ランプの本数を奇数本から偶数本に変更したい場合、いずれのソケット対を用いれば良いのかが判断できず、蛍光ランプの誤装着により適性な配光特性を得ることができない虞があった。
【０００６】
例えば、上記照明器具が３つのソケット対を有して各ソケット対に接続された蛍光ランプの内から１つの蛍光ランプを取り外す場合、３つの並設された蛍光ランプの内、真ん中に配設された蛍光ランプを取り外すことで適正な配光特性を保つことができる。
【０００７】
しかし、３つの並設された蛍光ランプの内、両端に各々配設された蛍光ランプのいずれか一方を取り外した場合、配光が他方の蛍光ランプ側へ偏ってしまい、適正な配光特性が得られなくなる。
【０００８】
一方、上記照明器具が３つのソケット対を有して各ソケット対に接続された蛍光ランプの内から２つの蛍光ランプを取り外す場合、３つの並設された蛍光ランプの内、両端に各々配設されている蛍光ランプを取り外すことで適正な配光特性を保つことができる。
【０００９】
しかし、３つの並設された蛍光ランプの内、両端に各々配設された蛍光ランプのいずれか一方及び真ん中の蛍光ランプを取り外した場合、配光が他方の蛍光ランプ側へ偏ってしまい、適正な配光特性が得られなくなる。
【００１０】
本発明は、上記事由に鑑みてなされたものであり、その目的は、ランプを偶数個配設する場合と、ランプを奇数個配設する場合とで、ユーザーがランプを装着するべきソケットを容易に判断することができて、いずれの場合においても配光特性を適正に保つことができる照明器具を提供することにある。
【課題を解決するための手段】
【００１１】
請求項１の発明は、直管状の発光管、及び発光管の一端に設けられる口金を有するランプと、ランプの口金が脱着自在に装着されて複数のランプを互いに並行配設する複数のソケットと、ソケットを介してランプを点灯制御する安定器と、少なくとも複数のランプ及び複数のソケットを収納する中空箱型の器具本体とを備え、前記複数のソケットは、ランプを偶数本配設する際に用いられる、器具本体の一端側内壁に設けられた偶数個の第一のソケットと、ランプを奇数個配設する際に用いられる、器具本体の一端側内壁と対向する他端側内壁に設けられた奇数個の第二のソケットとから構成されることを特徴とする。
【００１２】
この発明によれば、照明器具において、ランプを偶数個配設する場合と、ランプを奇数個配設する場合とで、ユーザーがランプを装着するべきソケットを容易に判断することができるので、ランプを偶数個配設する場合とランプを奇数個配設する場合とのいずれの場合においても、配光特性を適正に保つことができる。
【発明の効果】
【００１３】
以上説明したように、本発明では、照明器具において、ランプを偶数個配設する場合と、ランプを奇数個配設する場合とで、ユーザーがランプを装着するべきソケットを容易に判断することができるので、ランプを偶数個配設する場合とランプを奇数個配設する場合とのいずれの場合においても、配光特性を適正に保つことができるという効果がある。
【図面の簡単な説明】
【００１４】
【図１】本発明の実施形態１における照明器具の下面図を示す。
【図２】同上における照明器具の断面図を示す。
【図３】同上における照明器具の配線図を示す。
【図４】（ａ）〜（ｃ）は、同上における照明器具のランプの灯数を変更した状態を示し、（ａ）は下面図、（ｂ）はＡ−Ａ断面図、（ｃ）はＢ−Ｂ断面図を示す。
【図５】同上における照明器具の概略図を示す。
【図６】（ａ）〜（ｃ）は、本発明の実施形態２における照明器具を示し、（ａ）は下面図、（ｂ）はＡ−Ａ断面図、（ｃ）はＢ−Ｂ断面図を示す。
【図７】ａ）〜（ｃ）は、同上における照明器具のランプの灯数を変更した状態を示し、（ａ）は下面図、（ｂ）はＡ−Ａ断面図、（ｃ）はＢ−Ｂ断面図を示す。
【図８】同上における照明器具の概略図を示す。
【図９】同上における照明器具の概略図を示す。
【発明を実施するための形態】
【００１５】
以下、本発明の実施の形態を図面に基づいて説明する。
【００１６】
（実施形態１）
本実施形態における照明器具は、図１、２に示すように下面が開口した略矩形箱型の器具本体１と、器具本体１の長手方向一端側内壁に設けられる第一のソケット２と、器具本体１の他端側内壁に設けられる第二のソケット３と、第一のソケット２または第二のソケット３に接続されるランプ４と、ランプ４を支持する支持部材５と、ランプ４の光を反射する反射板６と、ランプ４の光を所定の方向へ配光するルーバー７と、第一のソケット２または第二のソケット３を介してランプ４を点灯制御する安定器８と、図示しない電源線が接続される電源端子台９と、図示しない信号線が接続される調光端子台１１とを備えている。なお、本実施形態では、第二のソケット３は２つ設けられており、一方を第二のソケット３Ａと称し、他方を第二のソケット３Ｂと称して、第二のソケット３Ａ、３Ｂを区別しない場合には、第二のソケット３と称す。以下、図２（ａ）における上下方向を基準として説明を行う。
【００１７】
器具本体１は、上面内壁略中央に長手方向に沿って長尺断面略コの字状のベース１２が溶接等によって固定されており、当該ベース１２に反射板６が取り付けられる。また、ベース１２の短手方向両側面と器具本体１の内壁との間には、安定器８がそれぞれ配設されている。そして、２つの安定器８の内、いずれか一方の安定器８の長手方向一端側には電源端子台９及び調光端子台１１が配設されている。
【００１８】
電源端子台９は、外部電源等と図示しない電力線を介して接続され、図３に示すように、２つの安定器８へ電力線１３を介して電力を供給している。
【００１９】
調光端子台１１は、例えば調光制御部等と図示しない信号線を介して接続され、当該センサから出力される調光信号を、信号線１４を介して安定器８へ出力する。
【００２０】
２つの安定器８の内、一方の安定器８Ａは、第一のソケット２と第二のソケット３Ａとに電力線１５を介して接続され、他方の安定器８Ｂは、第二のソケット３Ｂと電力線１６を介して接続されている。
【００２１】
そして、安定器８Ａ，８Ｂは、調光信号に基づいて所望の点灯電力をランプ４に供給することで、当該ランプ４の点灯制御を行う。
【００２２】
反射板６は、略矩形平板状の基部６１と基部６１の短手方向両端からそれぞれ斜め下方へ向けて延設される延設部６２とから構成され、基部６１に穿設される図示しない挿通孔を挿通するねじ６３が、ベース１２に穿設される図示しないねじ孔に螺合することでベース１２に取り付けられる。
【００２３】
ルーバー７は、略矩形平板状に形成され、器具本体１の開口に複数設けられて器具本体１の長手方向に沿って並設されている。
【００２４】
第一のソケット２は、器具本体１における一端側内壁の短手方向略中央に設けられている。
【００２５】
第二のソケット３Ａ，３Ｂは、器具本体１における他端側内壁に設けられ、第二のソケット３Ａが器具本体１の短手方向略中央よりも一方側に設けられ、第二のソケット３Ｂが器具本体１の短手方向略中央よりも他方側に設けられている。そのため、第一のソケット２と第二のソケット３とは、器具本体１の短手方向において互い違いに配設されて対向しない。ここで、器具本体１の短手方向略中央から２つの第二のソケット３Ａ，３Ｂまでの距離は、それぞれ略等しい。
【００２６】
ランプ４は、ＪＩＳ  Ｃ７６０１に規定される所謂コンパクト型蛍光灯が用いられ、略Ｕ字状に形成された発光管４１と、発光管４１の開放端側に設けられる口金４２とから構成される。つまり、ランプ４は、長手方向の一端側にのみ口金４２を有して、当該口金４２が第一のソケット２、または、第二のソケット３Ａ，３Ｂに接続されて、器具本体１内において並行配設される。
【００２７】
支持部材５は、断面略コの字状の基部５１と、基部５１の開放端の先端からそれぞれ延設されるばね力を有した一対の略半円状の狭持部５２とから構成される。そして、ランプ４の発光管４１を狭持する際には、一対の狭持部５２がそれぞれ外側方向へ広がるように変形して、一対の狭持部５２内に発光管４１が挟み込まれる。ここで、第一のソケット２に接続されるランプ４を支持する支持部材５Ａは、器具本体１の長手方向略中央よりも第二のソケット３寄りに設けられ、第二のソケット３に接続されるランプ４を支持する支持部材５Ｂは、器具本体１の長手方向略中央よりも第一のソケット２寄りに設けられる。
【００２８】
支持部材５Ａは、第一のソケット２に接続されるランプ４における発光管４１の先端近傍を狭持し、支持部材５Ｂは、第二のソケット３に接続されるランプ４における発光管４１の先端近傍を狭持する。ここで、第一のソケット２にランプ４が接続されている場合、当該ランプ４の発光管４１が支持部材５Ｂの狭持部５２に干渉する。そのため、支持部材５Ｂの狭持部５２は、外側方向へ変形することができず当該支持部材５Ｂにランプ４を狭持させることができない。
【００２９】
同様に、図４に示すように、第二のソケット３にランプ４が接続された場合、図５に示すように、当該ランプ４の発光管４１が支持部材５Ａの狭持部５２に干渉する。そのため、支持部材５Ａの狭持部５２は外側方向へ変形することができず当該支持部材５Ａにランプ４を狭持させることができない。つまり、ランプ４は、第一のソケット２及び第二のソケット３の内、いずれか一方にしか取り付けることができない。
【００３０】
そして、本実施形態の照明器具では、第一のソケット２を用いることでランプ４を１灯（奇数灯）点灯させることができ、第二のソケット３を用いることでランプ４を２灯（偶数灯）点灯させることができる。
【００３１】
また、第一のソケット２は、器具本体１の短手方向略中央に配設されていることから、第一のソケット２に接続されたランプ４は、器具本体１における短手方向中央を通る中心線Ｌに対して略線対称な配光を行うことができる。
【００３２】
一方、２つの第二のソケット３は、器具本体１の短手方向略中央からそれぞれ略等しい距離に配設されていることから、第二のソケット３に各々接続されるランプ４は、全体として器具本体１における短手方向中央を通る中心線Ｌに対して略線対称な配光を行うことができる。
【００３３】
そのため、ランプ４を１本配設する場合とランプ４を２本配設する場合とのいずれの場合においても、ユーザーが使用するべきソケットを容易に判断することができ、配光特性を適正に保つことができる。なお、本実施形態では、第一のソケット２を１つ設けて第二のソケット３を２つ設けているが、各ソケットの数はこれに限定されず、第一のソケット２を奇数個設けて、第二のソケット３を偶数個設けてもよい。
【００３４】
また、上記の通り、第一のソケット２と第二のソケット３とは、同時に使用することができないことから、ランプ４の誤装着を更に防止することができる。
【００３５】
（実施形態２）
本実施形態の照明器具と実施形態１の照明器具とで異なる点は、支持部材５Ａ、５Ｂがランプ４の並設方向に沿って並設されている点、及び、第一のソケット２にランプ４が接続された場合に当該ランプ４における発光管４１の先端部が、器具本体１の短手方向において第二のソケット３と重なる点、及び第二のソケット３にランプ４が接続された場合、当該ランプ４における発光管４１の先端部が器具本体１の短手方向において第一のソケット２と重なる点である。なお、その他の構成については実施形態１と共通の符号を付して説明を省略する。
【００３６】
本実施形態では、図６に示すように、２つの第二のソケット３の間隔が、当該間にランプ４における発光管４１の先端を挿入できる程度に設定されており、更に、第一のソケット２に接続されるランプ４の発光管４１の先端が２つの第二のソケット３の間に位置するように当該発光管４１の長さが設定されている。つまり、器具本体１の短手方向において、発光管４１の先端部と第二のソケット３とが重なる。
【００３７】
そのため、ランプ４を第一のソケット２に接続して点灯させた際に照射範囲の一部に第二のソケット３の影が発生することを防止することができる。即ち、ランプ４の照射範囲の一部が暗くなることを防止することができる。
【００３８】
同様に、図８に示すように、第二のソケット３にランプ４を接続した場合には、当該第二のソケット３に接続されるランプ４の発光管４１の先端が、器具本体１の短手方向において第一のソケット２と重なる。
【００３９】
そのため、ランプ４の照射範囲の一部に第一のソケット２の影が発生することを防止することができる。即ち、照射範囲の一部が暗くなることを防止することができる。
【００４０】
また、本実施形態では、支持部材５Ａ、５Ｂが、支持部材５Ｂ、５Ａ，５Ｂの順にランプ４の並設方向に沿って並設されており、図７に示すように、ランプ４が第一のソケット２に接続されて当該ランプ４の発光管４１が支持部材５Ａに狭持された場合、支持部材５Ａの狭持部５１が外側方向へ広がって支持部材５Ｂの狭持部５１に干渉する。そのため、支持部材５Ａにランプ４が取り付けられている間は、支持部材５Ｂの狭持部５１は外側方向へ開くことができないため、当該支持部材５Ｂにランプ４を狭持させることができない。つまり、第二のソケット３にランプ４を接続することができない。
【００４１】
同様に、ランプ４が第二のソケット３に接続されて当該ランプ４の発光管４１が支持部材５Ｂに狭持された場合、図９に示すように、支持部材５Ｂの狭持部５１が外側方向へ広がって、支持部材５Ａの狭持部５１に干渉する。そのため、支持部材５Ｂにランプ４が取り付けられている間は、支持部材５Ａの狭持部５１は外側方向へ開くことができないため、当該支持部材５Ａにランプ４を狭持させることができない。つまり、第一のソケット２にランプ４を接続することができない。
【００４２】
従って、本実施形態の照明器具においても、第一のソケット２と第二のソケット３とは、同時に使用することができず、ランプ４の誤装着を防止することができる。
【符号の説明】
【００４３】
１  器具本体
２  第一のソケット
３  第二のソケット
４  ランプ
５  支持部材
６  反射板
７  ルーバー
８  安定器
９  電源端子台
１１  調光端子台
１２  ベース
１３  電力線
１４  信号線
１５  電力線
１６  電力線
４１  発光管
４２  口金
【図１】
2011090989.tif 000003
【図２】
2011090989.tif 000004
【図３】
2011090989.tif 000005
【図４】
2011090989.tif 000006
【図５】
2011090989.tif 000007
【図６】
2011090989.tif 000008
【図７】
2011090989.tif 000009
【図８】
2011090989.tif 000010
【図９】
2011090989.tif 000011